(57)【要約】【課題】チャンバの仕様に関する情報のデータ量の低減が可能なチャンバ管理装置およびそれを備えた情報管理システムを提供する。【解決手段】対象品に対して熱処理または環境試験を行うチャンバを管理するチャンバ管理装置２は、複数のチャンバの本体仕様を記憶する仕様情報記憶部９と、複数のチャンバのそれぞれに付与された固有の識別コードが受信される受信部６と、識別コードに対応する本体仕様型式コードを、当該識別コードに対応付けて記憶する型式コード記憶部１３と、識別コードが受信部６に受信されると、型式コード記憶部１３に記憶された当該識別コードに対応する本体仕様型式コードを用いて、これらの型式コードに対応する本体仕様情報を仕様情報記憶部９から抽出する抽出部１０とを備えている。【選択図】図１
2014235070.tif 000002
【特許請求の範囲】
【請求項１】
対象品に対して熱処理または環境試験を行う複数のチャンバを管理するチャンバ管理装置であって、
前記チャンバの本体の仕様である本体仕様に関する情報であって当該本体仕様の全ての型式について網羅され各型式ごとに固有の本体仕様型式コードを有する複数の本体仕様情報を含む複数の仕様情報を記憶する仕様情報記憶部と、
前記複数のチャンバのそれぞれに付与された固有の識別コードが受信される受信部と、
前記複数のチャンバに対して、それぞれ、前記チャンバの前記本体仕様の型式に対応する前記本体仕様型式コードを、当該チャンバの識別コードに対応付けて記憶する型式コード記憶部と、
前記識別コードが前記受信部に受信されると、前記型式コード記憶部において前記識別コードに対応付けて記憶された前記本体仕様型式コードを用いて、当該本体仕様型式コードに対応する前記本体仕様情報を前記仕様情報記憶部から抽出する抽出部と、
を備えているチャンバ管理装置。
【請求項２】
前記複数の仕様情報は、前記本体に付属するオプションの仕様であるオプション仕様に関する情報であって当該オプション仕様の全ての型式について網羅され各型式ごとに固有のオプション仕様型式コードを有する複数のオプション仕様情報をさらに含み、
前記型式コード記憶部は、前記識別コードに対応する前記チャンバにおける前記オプション仕様の前記オプション型式コードを、当該識別コードに対応付けてさらに記憶し、
前記抽出部は、前記識別コードが前記受信部に受信されると、前記型式コード記憶部に記憶された前記オプション型式コードのうち当該受信部に受信された前記識別コードに対応する前記オプション型式コードを用いて、当該オプション型式コードに対応する前記オプション仕様情報を、前記本体仕様情報と組み合わせて前記仕様情報記憶部から抽出する、
請求項１に記載のチャンバ管理装置。
【請求項３】
前記複数の仕様情報は、前記オプション仕様とは別に追加された仕様であって前記チャンバの前記本体仕様に付加される付加仕様に関する複数の付加仕様情報をさらに含み、
前記付加仕様情報は、前記付加仕様の型式に関する固有の付加型式コードをそれぞれ有し、
前記型式コード記憶部は、前記識別コードに対応する前記チャンバにおける前記付加仕様の前記付加型式コードを、当該識別コードに対応付けてさらに記憶し、
前記抽出部は、前記識別コードが前記受信部に受信されると、前記型式コード記憶部に記憶された前記付加型式コードのうち当該受信部に受信された前記識別コードに対応する前記付加型式コードを用いて、当該付加型式コードに対応する前記付加仕様情報を、前記本体仕様情報と組み合わせて前記仕様情報記憶部から抽出する、
請求項１または２に記載のチャンバ管理装置。
【請求項４】
前記型式コード記憶部は、同一の仕様を有する複数の前記チャンバを一括して受注したときに前記複数のチャンバに対して一括して付与されたオーダー番号を介して、前記複数のチャンバの前記識別コードと少なくとも当該チャンバの前記本体仕様の型式に対応する前記本体仕様型式コードとを対応付けて記憶し、
前記抽出部は、前記識別コードが前記受信部に受信されると、前記型式コード記憶部に記憶された少なくとも前記本体仕様型式コードのうち当該受信部に受信された前記識別コードに対応する前記本体仕様型式コードを前記オーダー番号を用いて探し出し、さらに、探し出された少なくとも当該本体仕様型式コードを用いて、少なくとも当該本体仕様型式コードに対応する前記本体仕様情報を前記仕様情報記憶部から抽出する請求項１から３のいずれかに記載のチャンバ管理装置。 
【請求項５】
前記仕様情報記憶部は、前記チャンバによる熱処理または環境試験の動作を制御するためのソフトウェアに関する複数のソフトウェア情報を、当該ソフトウェア情報に含まれるソフトウェアが動作可能な前記チャンバの前記本体、前記オプション、または前記付加仕様における当該本体についての前記本体仕様型式コード、当該オプションについての前記オプション仕様型式コード、または当該付加仕様についての前記付加仕様型式コードと対応付けて、さらに記憶し、
前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記複数のソフトウェア情報の中から前記本体、前記オプション、または前記付加仕様において動作可能な前記ソフトウェアに対応する前記ソフトウェア情報を抽出する、
請求項１から４のいずれかに記載のチャンバ管理装置。
【請求項６】
前記抽出部によって抽出された前記ソフトウェア情報に対応するソフトフェアを前記チャンバまたは外部端末へ送信するソフトウェア送信部さらに備えている、
請求項５に記載のチャンバ管理装置。
【請求項７】
前記仕様情報記憶部は、前記チャンバによる熱処理または環境試験の動作を行うときの環境条件の時系列変化を設定するプログラムパターンに関する複数のプログラムパターン情報を、当該プログラムパターン情報に含まれるプログラムパターンが動作可能な前記チャンバの前記本体、前記オプション、または前記付加仕様における前記チャンバの前記本体についての前記本体仕様型式コード、前記オプションについての前記オプション仕様型式コード、または前記付加仕様についての前記付加仕様型式コードと対応付けて、さらに記憶し、
前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記複数のプログラムパターン情報の中から前記本体、前記オプション、または前記付加仕様において動作可能な前記プログラムパターンに対応する前記プログラムパターン情報を抽出する、
請求項１から６のいずれかに記載のチャンバ管理装置。
【請求項８】
前記抽出部によって抽出された前記プログラムパターン情報に対応するプログラムパターンを前記チャンバまたは外部端末へ送信するプログラムパターン送信部さらに備えている、
請求項７に記載のチャンバ管理装置。
【請求項９】
前記受信部は、前記プログラムパターン情報の特徴を分類するためのキーワードをさらに受信し、
前記抽出部は、前記識別コードおよび前記キーワードが前記受信部に受信されると、当該識別コードおよび当該キーワードに対応する前記プログラムパターン情報を抽出する、
請求項７または８に記載のチャンバ管理装置。
【請求項１０】
前記抽出部によって抽出された複数の前記プログラムパターン情報の中から前記チャンバに用いられるプログラムパターン情報を選択するプログラムパターン選択部をさらに備える、
請求項７から９のいずれかに記載のチャンバ管理装置。
【請求項１１】
前記仕様情報記憶部は、前記チャンバの消耗品に関する複数の消耗品情報を、当該チャンバの前記本体についての前記本体仕様型式コード、前記オプションについての前記オプション仕様型式コード、または前記付加仕様についての前記付加仕様型式コードと対応付けて、さらに記憶し、
前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記消耗品情報の中から前記本体、前記オプション、または前記付加仕様に対応する前記消耗品情報を抽出する、
請求項１から１０のいずれかに記載のチャンバ管理装置。
【請求項１２】
前記抽出部によって抽出された前記消耗品情報の中から前記チャンバに使用される前記消耗品情報を選択する消耗品選択部と、
前記消耗品選択部によって選択された前記消耗品情報に対応する消耗品の注文に関する注文情報を所定の受信先へ送信する注文情報送信部
をさらに備えている、
請求項１０に記載のチャンバ管理装置。
【請求項１３】
請求項１〜１２のいずれかに記載のチャンバ管理装置と、
当該チャンバ管理装置と通信可能に接続された外部端末であって、前記識別コードを入力するコード入力部、および前記抽出部によって抽出された前記仕様情報を表示する表示部を有する外部端末と
を備えている、
情報管理システム。 
【発明の詳細な説明】
【技術分野】
【０００１】
本発明は、対象品に対して熱処理または環境試験を行うチャンバを管理するチャンバ管理装置およびそれを備えた情報管理システムに関する。
【背景技術】
【０００２】
従来、電子部品や各種工業材料などの環境試験を行うためのチャンバとして、試験空間内の温度または湿度などを高精度で時系列に変化させて調整する環境試験装置がある。例えば、特許文献１に記載されている環境試験装置は、試験空間を有する本体、および試験空間の環境を調整する手段として、例えば、冷却手段、加熱ヒータ、加湿装置、および送風機などを備えている。また、材料の熱処理を行うために、処理空間の温度調整を行う熱処理用のチャンバも従来知られている。
【０００３】
このような環境試験や熱処理を行うチャンバは、それぞれ使用条件などに応じて、チャンバの種々の仕様がそれぞれ異なっている。例えば、環境試験装置の仕様には、その試験装置の本体仕様、当該試験装置のオプションの仕様、および本体仕様に付加された付加仕様が含まれており、これらの仕様の種類は多岐にわたっている。
【先行技術文献】
【特許文献】
【０００４】
【特許文献１】特開２０１３−７３５０２号公報
【発明の概要】
【発明が解決しようとする課題】
【０００５】
上記のように、環境試験や熱処理を行うチャンバでは、それぞれ使用条件などに応じて各種仕様（本体仕様、オプション仕様、付加仕様など）がそれぞれ異なっており、これらの組合せは多種多様である。そのため、装置１台ごとに各種仕様に関する情報、例えば本体仕様情報およびオプション仕様情報その他の情報などを組み合わせて個別に管理する必要があるので、情報を管理するデータベースの容量が大きくなり、データ量の低減が難しい。
【０００６】
本発明は、上記のような事情に鑑みてなされたものであり、チャンバの仕様に関する情報のデータ量の低減が可能なチャンバ管理装置およびそれを備えた情報管理システムを提供することを目的とする。
【課題を解決するための手段】
【０００７】
上記課題を解決するためのものとして、本発明のチャンバ管理装置は、対象品に対して熱処理または環境試験を行う複数のチャンバを管理するチャンバ管理装置であって、前記チャンバの本体の仕様である本体仕様に関する情報であって当該本体仕様の全ての型式について網羅され各型式ごとに固有の本体仕様型式コードを有する複数の本体仕様情報を含む複数の仕様情報を記憶する仕様情報記憶部と、前記複数のチャンバのそれぞれに付与された固有の識別コードが受信される受信部と、前記複数のチャンバに対して、それぞれ、前記チャンバの前記本体仕様の型式に対応する前記本体仕様型式コードを、当該チャンバの識別コードに対応付けて記憶する型式コード記憶部と、前記識別コードが前記受信部に受信されると、前記型式コード記憶部において前記識別コードに対応付けて記憶された前記本体仕様型式コードを用いて、当該本体仕様型式コードに対応する前記本体仕様情報を前記仕様情報記憶部から抽出する抽出部とを備えていることを特徴とする。
【０００８】
かかる構成によれば、チャンバの本体仕様に関する全ての型式についてそれぞれ網羅された複数の本体仕様情報を含む複数の仕様情報は、仕様情報記憶部に記憶されて、一括管理されている。抽出部は、チャンバの識別コードが受信部に受信されると、識別コードに対応付けて型式コード記憶部に記憶された本体仕様の型式に関する本体仕様型式コードを用いて、仕様情報記憶部に記憶された複数の仕様情報の中からチャンバに対応する本体仕様情報を抽出する。これにより、チャンバ１件ごとに本体仕様情報を個別に管理する必要がなくなり、仕様情報記憶部に記憶されるデータ量の低減が可能になる。
【０００９】
前記複数の仕様情報は、前記本体に付属するオプションの仕様であるオプション仕様に関する情報であって当該オプション仕様の全ての型式について網羅され各型式ごとに固有のオプション仕様型式コードを有する複数のオプション仕様情報をさらに含み、前記型式コード記憶部は、前記識別コードに対応する前記チャンバにおける前記オプション仕様の前記オプション型式コードを、当該識別コードに対応付けてさらに記憶し、前記抽出部は、前記識別コードが前記受信部に受信されると、前記型式コード記憶部に記憶された前記オプション型式コードのうち当該受信部に受信された前記識別コードに対応する前記オプション型式コードを用いて、当該オプション型式コードに対応する前記オプション仕様情報を、前記本体仕様情報と組み合わせて前記仕様情報記憶部から抽出するのが好ましい。
【００１０】
かかる構成によれば、チャンバの本体に付属するオプションが有る場合であっても、当該オプションの仕様に関するオプション仕様情報を、仕様情報記憶部で一括して管理しておき、チャンバの識別コードを用いてオプション仕様情報を抽出することが可能である。そのため、チャンバ１件ごとにオプション仕様情報を本体仕様情報と組み合わせて個別に管理する必要がなくなり、仕様情報記憶部がオプション仕様情報を記憶する場合であっても、仕様情報記憶部に記憶されるデータ量の低減が可能になる。
【００１１】
また、前記複数の仕様情報は、前記オプション仕様とは別に追加された仕様であって前記チャンバの前記本体仕様に付加される付加仕様に関する複数の付加仕様情報をさらに含み、前記付加仕様情報は、前記付加仕様の型式に関する固有の付加型式コードをそれぞれ有し、前記型式コード記憶部は、前記識別コードに対応する前記チャンバにおける前記付加仕様の前記付加型式コードを、当該識別コードに対応付けてさら記憶し、前記抽出部は、前記識別コードが前記受信部に受信されると、前記型式コード記憶部に記憶された前記付加型式コードのうち当該受信部に受信された前記識別コードに対応する前記付加型式コードを用いて、当該付加型式コードに対応する前記付加仕様情報を、前記本体仕様情報と組み合わせて前記仕様情報記憶部から抽出するのが好ましい。
【００１２】
かかる構成によれば、チャンバの本体仕様に付加される付加仕様（例えば、チャンバ製造工場の工場出荷前に顧客からの注文に応じて付加される仕様）が有る場合であっても、当該付加仕様に関する付加仕様情報を、仕様情報記憶部で一括して管理しておき、チャンバの識別コードを用いて付加仕様情報を抽出することが可能である。そのため、チャンバ１件ごとに付加仕様情報を本体仕様情報と組み合わせて個別に管理する必要がなくなり、仕様情報記憶部が付加仕様情報を記憶する場合であっても、仕様情報記憶部に記憶されるデータ量の低減が可能になる。
【００１３】
また、前記型式コード記憶部は、同一の仕様を有する複数の前記チャンバを一括して受注したときに前記複数のチャンバに対して一括して付与されたオーダー番号を介して、前記複数のチャンバの前記識別コードと少なくとも当該チャンバの前記本体仕様の型式に対応する前記本体仕様型式コードとを対応付けて記憶し、前記抽出部は、前記識別コードが前記受信部に受信されると、前記型式コード記憶部に記憶された少なくとも前記本体仕様型式コードのうち当該受信部に受信された前記識別コードに対応する前記本体仕様型式コードを前記オーダー番号を用いて探し出し、さらに、探し出された少なくとも当該本体仕様型式コードを用いて、少なくとも当該本体仕様型式コードに対応する前記本体仕様情報を前記仕様情報記憶部から抽出するのが好ましい。
【００１４】
かかる構成によれば、同一の仕様（例えば、本体仕様、オプション仕様、および付加仕様全てについて同一の仕様）を有する複数のチャンバを一括して受注するときに付与されるオーダー番号を介して、当該チャンバの少なくとも本体仕様情報(例えば、本体仕様情報、オプション仕様情報、および付加仕様情報)と複数のチャンバの識別コードとを対応付けることが可能である。これにより、共通のオーダー番号を用いて複数のチャンバの本体仕様情報を含む全ての仕様情報を一括して管理することが可能である。そのため、本体仕様情報を含む全ての仕様情報の管理がさらに容易になる。なお、各チャンバについての後々の修理履歴などは、各チャンバ個別の情報として管理していけばよい。
【００１５】
また、前記仕様情報記憶部は、前記チャンバによる熱処理または環境試験の動作を制御するためのソフトウェアに関する複数のソフトウェア情報を、当該ソフトウェア情報に含まれるソフトウェアが動作可能な前記チャンバの前記本体、前記オプション、または前記付加仕様における当該本体についての前記本体仕様型式コード、当該オプションについての前記オプション仕様型式コード、または当該付加仕様についての前記付加仕様型式コードと対応付けて、さらに記憶し、前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記複数のソフトウェア情報の中から前記本体、前記オプション、または前記付加仕様において動作可能な前記ソフトウェアに対応する前記ソフトウェア情報を抽出するのが好ましい。
【００１６】
かかる構成によれば、チャンバによる熱処理または環境試験を制御する複数のソフトウェア情報を本体仕様型式コード、オプション仕様型式コード、または付加仕様型式コードと対応付けて仕様情報記憶部に記憶して一括して管理しておき、チャンバの識別コードが受信部に受信されると、識別コードに対応付けて型式コード記憶部に記憶された本体仕様型式コード、オプション仕様型式コード、または付加仕様型式コードを用いて、抽出部がチャンバの本体、オプション、または付加仕様において動作可能なソフトウェアに対応するソフトウェア情報を抽出することが可能である。これにより、各チャンバに対して必要なソフトウェアのみを提供することが可能になる。
【００１７】
また、前記抽出部によって抽出された前記ソフトウェア情報に対応するソフトフェアを前記チャンバまたは外部端末へ送信するソフトウェア送信部さらに備えているのが好ましい。
【００１８】
かかる構成によれば、抽出部によって抽出されたソフトウェア情報に対応するソフトフェアは、ソフトウェア送信部によってチャンバまたは外部端末へ送信されるので、当該ソフトウェア情報をチャンバまたは外部端末へ自動的に送信することが可能である。
【００１９】
また、前記仕様情報記憶部は、前記チャンバによる熱処理または環境試験の動作を行うときの環境条件の時系列変化を設定するプログラムパターンに関する複数のプログラムパターン情報を、当該プログラムパターン情報に含まれるプログラムパターンが動作可能な前記チャンバの前記本体、前記オプション、または前記付加仕様における前記チャンバの前記本体についての前記本体仕様型式コード、前記オプションについての前記オプション仕様型式コード、または前記付加仕様についての前記付加仕様型式コードと対応付けて、さらに記憶し、前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記複数のプログラムパターン情報の中から前記本体、前記オプション、または前記付加仕様において動作可能な前記プログラムパターンに対応する前記プログラムパターン情報を抽出するのが好ましい。
【００２０】
かかる構成によれば、チャンバによる熱処理または環境試験の動作を行うときの環境条件の時系列変化を設定するプログラムパターン情報を本体仕様型式コード、オプション仕様型式コード、または付加仕様型式コードと対応付けて仕様情報記憶部に記憶して一括して管理しておき、識別コードが受信部に受信されると、識別コードに対応付けて型式コード記憶部に記憶された本体仕様型式コード、オプション仕様型式コード、または付加仕様型式コードを用いて、抽出部がチャンバの本体、オプション、または付加仕様において動作可能なプログラムパターンに対応するプログラムパターン情報を抽出することが可能である。これにより、各チャンバに対して動作可能なプログラムパターンのみを提供することが可能になる。
【００２１】
また、前記抽出部によって抽出された前記プログラムパターン情報に対応するプログラムパターンを前記チャンバまたは外部端末へ送信するプログラムパターン送信部さらに備えているのが好ましい。
【００２２】
かかる構成によれば、抽出部によって抽出されたプログラムパターン情報に対応するプログラムパターンは、プログラムパターン送信部によってチャンバまたは外部端末へ送信されるので、当該プログラムパターン情報をチャンバまたは外部端末へ自動的に送信することが可能である。
【００２３】
さらに、前記受信部は、前記プログラムパターン情報の特徴を分類するためのキーワードをさらに受信し、前記抽出部は、前記識別コードおよび前記キーワードが前記受信部に受信されると、当該識別コードおよび当該キーワードに対応する前記プログラムパターン情報を抽出するのが好ましい。
【００２４】
かかる構成によれば、識別コードおよびキーワードの両方に対応するプログラムパターン情報を容易に抽出することが可能になる。これにより、所望のプログラムパターン情報をより容易かつ確実に入手することが可能になる。
【００２５】
さらに、前記抽出部によって抽出された複数の前記プログラムパターン情報の中から前記チャンバに用いられるプログラムパターン情報を選択するプログラムパターン選択部をさらに備えるのが好ましい。
【００２６】
かかる構成によれば、抽出部によって抽出されたプログラムパターン情報の中から、プログラムパターン選択部によって、チャンバに用いられるプログラムパターン情報を選択することにより、所望のプログラムパターン情報を容易に入手することが可能になる。
【００２７】
また、前記仕様情報記憶部は、前記チャンバの消耗品に関する複数の消耗品情報を、当該チャンバの前記本体についての前記本体仕様型式コード、前記オプションについての前記オプション仕様型式コード、または前記付加仕様についての前記付加仕様型式コードと対応付けて、さらに記憶し、前記抽出部は、前記識別コードが前記受信部に受信されると、前記型式コード記憶部に記憶された前記本体仕様型式コード、前記オプション仕様型式コード、または前記付加仕様型式コードのうち前記識別コードに対応する前記本体仕様型式コード、前記オプション仕様型式コード、または前記付加仕様型式コードを用いて、前記仕様情報記憶部に記憶された前記消耗品情報の中から前記本体、前記オプション、または前記付加仕様に対応する前記消耗品情報を抽出するのが好ましい。
【００２８】
かかる構成によれば、チャンバの消耗品に関する複数の消耗品情報を仕様情報記憶部で一括して記憶しておき、識別コードが受信部に受信されると、識別コードに対応付けて型式コード記憶部に記憶された本体仕様型式コード、オプション仕様型式コード、または付加仕様型式コードを用いて、抽出部が識別コードに対応する消耗品情報を抽出するので、チャンバ１件ごとに消耗品情報を個別に管理する必要がなくなり、仕様情報記憶部が消耗品情報を記憶する場合であっても仕様情報記憶部に記憶されるデータ量の低減が可能になる。
【００２９】
また、前記抽出部によって抽出された前記消耗品情報の中から前記チャンバに使用される前記消耗品情報を選択する消耗品選択部と、前記消耗品選択部によって選択された前記消耗品情報に対応する消耗品の注文に関する注文情報を所定の受信先へ送信する注文情報送信部をさらに備えているのが好ましい。
【００３０】
かかる構成によれば、抽出部によって抽出された消耗品情報の中から、消耗品選択部によって、チャンバの消耗品を選択することにより、注文情報送信部は、所望の消耗品の注文に関する注文情報を所定の受信先（例えば、受注用サーバ）へ容易かつ確実に行うことが可能になる。したがって、消耗品の誤発注を防ぐことが可能になる。
【００３１】
また、本発明の情報管理システムは、上記のチャンバ管理装置と、当該チャンバ管理装置と通信可能に接続された外部端末であって、前記識別コードを入力するコード入力部、および前記抽出部によって抽出された前記仕様情報を表示する表示部を有する外部端末と
を備えていることを特徴とする。
【００３２】
かかる構成によれば、外部端末を利用する者はコード入力部を用いて識別コードを任意に入力することが可能であり、コード入力部に入力された識別コードが受信部に受信されるので、チャンバの仕様情報が欲しいときに容易に抽出することが可能である。しかも、抽出部によって抽出された仕様情報を表示部に表示することにより、外部端末を利用する者は仕様情報を視認することが可能である。
【発明の効果】
【００３３】
以上説明したように、本発明のチャンバ管理装置によれば、チャンバの仕様に関する情報のデータ量を低減することができる。
【００３４】
また、本発明の情報管理システムによれば、外部端末を利用する者は、当該外部端末に識別コードを入力することによって、チャンバの仕様情報をチャンバ管理装置から容易に抽出して視認することができる。
【図面の簡単な説明】
【００３５】
【図１】本発明のチャンバ管理装置の実施形態である管理コンピュータを備えた情報管理システムのシステム構成図である。
【図２】図１の仕様情報記憶部の構成図である。
【図３】図１の型式コード記憶部に記憶されているマップの構成図である。
【図４】図１のクライアントＰＣのモニタに表示されるプログラムパターン検索画面の一例を示す図である。
【図５】図１のクライアントＰＣのモニタに表示されるプログラムパターン検索用のマップの一例を示す図である。
【図６】図１のクライアントＰＣのモニタに表示されるチャンバ内の温度の時系列変化に基づくプログラムパターンのグラフを表示する画面を示す図である。
【図７】図１のクライアントＰＣのモニタに表示される設定温度および設定湿度の時系列変化に基づくプログラムパターンのグラフを表示する画面を示す図である。
【図８】図１のクライアントＰＣのモニタに表示される製品サポート画面であって、登録された製品の一覧を示す画面を示す図である。
【図９】図１のクライアントＰＣのモニタに表示される製品サポート画面であって、登録された製品のうちのある製品についての仕様等の情報を示す専用画面（専用ホームページ）を示す図である。
【図１０】図１のクライアントＰＣなどのモニタに表示される製品サポート画面であって、消耗品の購入画面の一例を示す図である。
【図１１】図１のクライアントＰＣなどのモニタに表示される製品サポート画面であって、消耗品の購入画面の他の例を示す図である。
【図１２】図１のクライアントＰＣなどのモニタに表示される製品サポート画面であって、消耗品の詳細な情報を表示する画面を示す図である。
【図１３】図１のクライアントＰＣなどのモニタに表示される製品サポート画面であって、消耗品の発注確認用のアイコンを表示する画面を示す図である。
【図１４】図１のクライアントＰＣなどのモニタに表示される製品サポート画面であって、メンテナンス履歴を表示する画面を示す図である。
【図１５】図１のクライアントＰＣなどのモニタに表示される製品サポート画面であって、メンテナンス履歴の詳細な情報を表示する画面を示す図である。
【発明を実施するための形態】
【００３６】
以下には、図面を参照して、この発明の実施形態について具体的に説明する。
【００３７】
図１には、本発明のチャンバ管理装置の一実施形態である管理コンピュータ２を備えた情報管理システム１のシステム構成図が示されている。
【００３８】
情報管理システム１は、管理コンピュータ２と、外部端末であるクライアント用ＰＣ（パーソナルコンピュータ）３およびサービスマン用ＰＣ４と、管理コンピュータ２の外部にある消耗品受注用サーバ５とを備え、これらがインターネットＮなどの公衆回線を介して互いに通信可能に接続されている。
【００３９】
管理コンピュータ２は、複数の環境試験装置（以下、試験装置という）Ｘ１、Ｘ２、Ｘ３、Ｘ４の情報を管理する。複数の試験装置Ｘ１、Ｘ２、Ｘ３、Ｘ４は、それぞれインターネットＮを介して管理コンピュータ２に接続されている。これら試験装置Ｘ１、Ｘ２、Ｘ３、Ｘ４は、環境試験の対象である電子部品や材料に対して、環境試験を行う装置である。各試験装置Ｘ１〜Ｘ４は、試験空間内の温度や湿度を設定条件に合わせて調整するために、冷却手段、加熱ヒータ、加湿装置、および送風機などの環境調整手段を備えている。なお、これらの試験装置は、図１の試験装置Ｘ５、Ｘ６のように、クライアント用ＰＣ３などを介してインターネットＮ経由で管理コンピュータ２に接続していてもよく、または試験装置Ｘ７、Ｘ８のように、インターネットＮまたはクライアント用ＰＣ３のいずれにも接続していなくてもよい。
【００４０】
クライアント用ＰＣ３およびサービスマン用ＰＣ４としては、例えば、タブレットコンピュータまたはノートパソコンなどの可搬式情報端末などが用いられるが、据置式のデスクトップコンピュータなども用いることが可能である。これらのＰＣ３、４は、それぞれ、モニタなどの表示部３ａ、４ａと、キーボードなどの入力部３ｂ、４ｂとを備えている。
【００４１】
図１に示される管理コンピュータ２は、受信部６と、書換部７と、製品履歴データベース８と、仕様情報記憶部９と、当該仕様情報記憶部９から仕様情報２１(図２参照)を抽出する抽出部１０と、選択部１１と、送信部１２と、見積・受注部１７と、仕様条件抽出部１８とを備えている。
【００４２】
受信部６は、複数の試験装置Ｘ１〜Ｘ４のそれぞれに付与された固有の製造ＩＤ（例えば、ＺＸ１〜ＺＸ４）を受信する。これらの製造ＩＤは、管理コンピュータ２外部のクライアント用ＰＣ３またはサービスマン用ＰＣ４の入力部３ｂ、４ｂから入力され、インターネットＮを介して受信部６に受信される。
【００４３】
製造ＩＤは、個々の試験装置Ｘ１〜Ｘ４を識別する識別コードであり、例えば、複数の数字や英文字などによって構成されている。
【００４４】
製造ＩＤをクライアントに知らせる方法として、状況に応じて種々の方法が考えられる。例えば、製造ＩＤが印刷されたシールを試験装置Ｘ１〜Ｘ４の本体外面または扉の内面などへ貼り付けたり、製造ＩＤが印刷されたカードをクライアントに手渡したり、試験装置のモニタ画面に表示するなどの方法が考えられる。また、製造ＩＤの情報を含むバーコードを試験装置に貼り付けてもよく、その場合、クライアント用ＰＣ３が内蔵するカメラでバーコードを読み取るようにすればよい。
【００４５】
製造ＩＤは、クライアントから試験装置の受注があったときに、受注された試験装置（例えばＸ１）にそれぞれ固有の製造ＩＤ（例えばＺＸ１）が付与される。製造ＩＤの付与は、見積・受注部１７によって行われる。
【００４６】
また、複数の試験装置Ｘ１〜Ｘ４のうち同じ仕様の試験装置が同時に２台以上受注があったときには、同時に受注された複数の試験装置（例えばＸ１、Ｘ２）に共通するオーダー番号（例えばＹ１）が付与される。製造ＩＤの付与は、見積・受注部１７によって行われる。
【００４７】
仕様情報記憶部９は、図２に示されるように、試験装置Ｘ１〜Ｘ４の仕様に関する複数の仕様情報２１と、複数のソフトウェア情報２２と、複数のプログラムパターン情報２３と、複数の消耗品情報２４とを記憶している。
【００４８】
複数の仕様情報２１は、試験装置の仕様の型式に関する固有の型式コードをそれぞれ有する複数の仕様情報である。
【００４９】
具体的には、図２に示されるように、複数の仕様情報２１は、複数の本体仕様情報２５と、複数のオプション仕様情報２６、複数の付加仕様情報２７とを有する。
【００５０】
複数の本体仕様情報２５は、試験装置の本体の型式ごとに異なる当該試験装置の本体仕様に関する情報である。本体仕様情報２５は、当該本体仕様の全ての型式について設けられており、各型式に対して本体仕様情報２５が設けられている。各本体仕様情報２５は、本体仕様の型式に関する固有の型式コードとして本体仕様型式コードａ１，ａ２，ａ３，・・・をそれぞれ有する。本体仕様情報は、各試験装置を受注する前にあらかじめ仕様情報記憶部９に記憶されている。
【００５１】
本体仕様情報２５は、本体の型式ごとに異なる本体仕様の一切の情報を含むものであり、具体的には、本体設計部分の実際に使用されたすべての部品構成情報と、本体に関する図書情報（本体仕様書、外観図、取扱説明書、納入仕様書、カタログ、および部品情報など）と、その他の本体に関する情報（例えば、本体を構成する部品の有害物質使用制限指令（ＲｏＨＳ指令）、有害物質、材質、重量などの情報）とを含む。これら本体仕様情報に含まれる各情報は、互いに関連付けることも可能であり、例えば、外観図や取扱説明書に関する情報は、本体仕様書に関する情報に関連付けることが可能である。
【００５２】
複数のオプション仕様情報２６は、試験装置の本体に付属するオプションの型式ごとに異なる当該オプションの仕様に関する情報である。オプション仕様情報２６は、当該オプション仕様の全ての型式について設けられており、各型式に対してオプション仕様情報２６が設けられている。各オプション仕様情報２６は、オプションの仕様の型式に関する固有の型式コードとしてオプション仕様型式コードｂ１，ｂ２，ｂ３，・・・をそれぞれ有する。オプション仕様情報は、各試験装置を受注する前にあらかじめ仕様情報記憶部９に記憶されている。すなわち、オプション仕様情報は、予め用意されているオプション仕様に関するものである。
【００５３】
オプション仕様情報２６は、オプションの型式ごとに異なるオプション仕様の一切の情報を含むものであり、具体的には、オプション設計部分の実際に使用されたすべての部品構成情報と、オプションに関する図書情報（オプション仕様書、外観図、取扱説明書、納入仕様書、カタログ、および部品情報など）と、その他のオプションに関する情報（例えば、オプションを構成する部品の有害物質使用制限指令（ＲｏＨＳ指令）、有害物質、材質、重量などの情報）とを含む。これらオプション仕様情報２６に含まれる各情報も、互いに関連付けることも可能であり、例えば、外観図や取扱説明書に関する情報は、オプション仕様書に関する情報に関連付けることも可能である。
【００５４】
複数の付加仕様情報２７は、上記のオプション仕様とは別に追加された仕様であって試験装置Ｘ１〜Ｘ４の本体仕様に付加される付加仕様の型式ごとに異なる当該付加仕様に関する情報であり、付加仕様の型式に関する固有の付加仕様型式コードｃ１，ｃ２，ｃ３，・・・をそれぞれ有する。
【００５５】
付加仕様情報２７は、各試験装置を受注した後の設計作業によって作成され、仕様情報記憶部９に記憶され、すなわち、ユーザの要望に個別に対応すべく、追加的に用意した仕様に関する。
【００５６】
付加仕様情報２７は、付加仕様の型式ごとに異なる付加仕様の一切の情報を含むものであり、具体的には、付加仕様設計部分の実際に使用されたすべての部品構成情報と、付加仕様に関する図書情報（付加仕様書、外観図、取扱説明書、納入仕様書、および部品情報など）と、その他の付加仕様に関する情報（例えば、付加仕様を構成する部品の有害物質使用制限指令（ＲｏＨＳ指令）、有害物質、材質、重量などの情報）とを含む。これら付加仕様情報２７に含まれる各情報も、互いに関連付けることも可能である。
【００５７】
複数のソフトウェア情報２２は、試験装置による環境試験の動作を制御するためのソフトウェアに関する情報であり、互いに異なっている。
【００５８】
複数のソフトウェア情報２２は、当該ソフトウェア情報に含まれるソフトウェアが試験装置の本体で動作可能な当該本体の仕様についての本体仕様型式コードａ１，ａ２，ａ３，・・・と対応付けて記憶されている。例えば、各ソフトウェアの型式コードをｄ１，ｄ２，ｄ３，ｄ４・・・とした場合、型式コードｄ１、ｄ２のソフトウェアが動作可能な試験装置Ｘ１の本体についての本体仕様型式コードａ１と対応付けて記憶されている。
【００５９】
また、図示されていないが、複数のソフトウェア情報２２は、当該ソフトウェア情報に含まれるソフトウェアが試験装置のオプションで動作可能なソフトウェアである場合には、当該オプションの仕様についてのオプション仕様型式コードｂ１，ｂ２，ｂ３，・・・と対応付けて記憶されている。さらに、複数のソフトウェア情報２２は、当該ソフトウェア情報に含まれるソフトウェアが試験装置の付加仕様で動作可能なソフトウェアである場合には、当該付加仕様についての付加仕様型式コードｃ１，ｃ２，ｃ３，・・・と対応付けて記憶されている。
【００６０】
複数のプログラムパターン情報２３は、試験装置Ｘ１〜Ｘ４による環境試験の動作を行うときの環境条件の時系列変化を設定するプログラムパターンに関する情報であり、互いに異なっている。
【００６１】
複数のプログラムパターン情報２３は、当該プログラムパターン情報に含まれるプログラムパターンが動作可能な試験装置の本体についての本体仕様型式コードａ１，ａ２，ａ３，・・・と対応付けて記憶されている。例えば、各プログラムパターンの型式コードをｅ１，ｅ２，ｅ３，ｅ４・・・とした場合、型式コードｅ１、ｅ２のプログラムパターンが動作可能な試験装置Ｘ１についての本体仕様型式コードａ１と対応付けて記憶されている。
【００６２】
また、図示されていないが、複数のプログラムパターン情報２３は、当該プログラムパターン情報に含まれるプログラムパターンが試験装置のオプションで動作可能なプログラムパターンである場合には、当該オプションの仕様についてのオプション仕様型式コードｂ１，ｂ２，ｂ３，・・・と対応付けて記憶されている。さらに、複数のプログラムパターン情報２３は、当該プログラムパターン情報に含まれるプログラムパターンが試験装置の付加仕様で動作可能なプログラムパターンである場合には、当該付加仕様についての付加仕様型式コードｃ１，ｃ２，ｃ３，・・・と対応付けて記憶されている。
【００６３】
複数の消耗品情報２４は、試験装置の消耗品に関する情報である。複数の消耗品情報２４は、当該試験装置の本体についての本体仕様型式コードａ１，ａ２，ａ３，・・・と対応付けて記憶されている。例えば、各消耗品の型式コードをｆ１，ｆ２，ｆ３，ｆ４・・・とした場合、型式コードｆ１、ｆ２の消耗品が適用可能な試験装置Ｘ１についての本体仕様型式コードａ１と対応付けて記憶されている。
【００６４】
また、図示されていないが、複数の消耗品情報２４は、当該消耗品情報に含まれる消耗品が試験装置のオプションに適用可能な消耗品である場合には、当該オプションの仕様についてのオプション仕様型式コードｂ１，ｂ２，ｂ３，・・・と対応付けて記憶されている。さらに、複数の消耗品情報２４は、当該消耗品情報に含まれる消耗品が試験装置の付加仕様に適用可能な消耗品である場合には、当該付加仕様についての付加仕様型式コードｃ１，ｃ２，ｃ３，・・・と対応付けて記憶されている。
【００６５】
製品履歴データベース８は、仕様情報記憶部９では一括して管理できない各試験装置Ｘ１〜Ｘ４の固有の情報が記憶されている。この製品履歴データベース８は、型式コード記憶部１３と、メンテナンス履歴記憶部１４と、バージョンアップ情報記憶部１５と、納入先情報記憶部１６とを備えている。
【００６６】
型式コード記憶部１３は、複数の試験装置Ｘ１〜Ｘ４に対して、それぞれ、当該試験装置Ｘ１〜Ｘ４の本体仕様の型式に対応する本体仕様型式コード、オプション仕様の型式に対応するオプション仕様型式コード、および付加仕様の型式に対応する付加仕様型式コードを、当該試験装置Ｘ１〜Ｘ４の製造ＩＤに対応付けて記憶する。すなわち、型式コード記憶部１３は、図３に示されるように、各試験装置Ｘ１〜Ｘ４の製造ＩＤ（例えばＺＸ１〜ＺＸ４）と、それに対応する試験装置の仕様に関する型式コードとを対応付けるマップ３０を記憶している。
【００６７】
マップ３０は、具体的には、図３に示されるように、第１部分３０ａと、第２部分３０ｂとを有する。第１部分３０ａは、各試験装置Ｘ１〜Ｘ４の製造ＩＤ（例えばＺＸ１〜ＺＸ４）とオーダー番号（Ｙ１〜Ｙ２）とを対応付ける。第２部分３０ｂは、オーダー番号（Ｙ１〜Ｙ２）と、各試験装置Ｘ１〜Ｘ４の仕様に対応する本体仕様型式コード（ａ１，ａ２，・・・）、オプション仕様型式コード（ｂ１，ｂ２，・・・）、および付加仕様型式コード（ｃ１，ｃ２，・・・）とを対応付ける。
【００６８】
ここで、上記の試験装置Ｘ１〜Ｘ２の組、試験装置Ｘ３〜Ｘ４の組はそれぞれ同一仕様で一括して受注されており、各組の装置同士の仕様(本体仕様、オプション仕様および付加仕様)が共通している。各組の試験装置Ｘ１〜Ｘ２、Ｘ３〜Ｘ４は、それぞれ一括して受注するときに各組の試験装置Ｘ１〜Ｘ２、Ｘ３〜Ｘ４にそれぞれ共通のオーダー番号Ｙ１、Ｙ２が付与されている。そのような場合において、型式コード記憶部１３は、図３のマップ３０の第１部分３０ａにおいて、各試験装置Ｘ１〜Ｘ４の製造ＩＤ（例えばＺＸ１〜ＺＸ４）とオーダー番号（Ｙ１〜Ｙ２）とを対応付けて記憶し、さらに、マップ３０の第２部分３０ｂにおいて、オーダー番号（Ｙ１〜Ｙ２）と各組の試験装置Ｘ１〜Ｘ２、Ｘ３〜Ｘ４の仕様（本体仕様、オプション仕様および付加仕様）に対応する型式コード、すなわち、当該試験装置の本体仕様の型式に対応する本体仕様型式コードａ１，ａ２・・・、オプション仕様の型式に対応するオプション仕様型式コードｂ１，ｂ２，・・・、および付加仕様の型式に対応する付加仕様型式コードｃ１，ｃ２，・・・とを対応付けて記憶している。
【００６９】
すなわち、図３のマップ３０は、オーダー番号Ｙ１、Ｙ２を介して、各製造ＩＤ（ＺＸ１〜ＺＸ４）と、それに対応する本体仕様型式コード（ａ１，ａ２，・・・）、オプション仕様型式コード（ｂ１，ｂ２，・・・）、および付加仕様型式コード（ｃ１，ｃ２，・・・）とを対応付けている。例えば、図３のマップ３０の第１部分３０ａにおいて、試験装置Ｘ１の製造番号ＺＸ１は、オーダー番号Ｙ１に対応付けられており、さらに、第２部分３０ｂにおいて、オーダー番号Ｙ１は、同一の仕様で一括して注文された試験装置Ｘ１、Ｘ２についての本体仕様の型式コードａ１、オプション仕様の型式コードｂ１、付加仕様の型式コードｃ１に対応付けられている。
【００７０】
メンテナンス履歴記憶部１４は、各試験装置Ｘ１〜Ｘ４のメンテナンス履歴に関するメンテナンス履歴情報が製造ＩＤと対応付けて記憶されている。
【００７１】
バージョンアップ情報記憶部１５は、各試験装置Ｘ１〜Ｘ４が取得しているソフトウェアのバージョン情報が製造ＩＤと対応付けて記憶されている。
【００７２】
納入先情報記憶部１６は、各試験装置Ｘ１〜Ｘ４の納入先（例えば納入場所）に関する情報が製造ＩＤと対応付けて記憶されている。
【００７３】
抽出部１０は、クライアント用ＰＣ３またはサービスマン用ＰＣ４に入力された製造ＩＤがインターネットＮを介して受信部６に受信されると、型式コード記憶部１３において製造ＩＤに対応付けて記憶された本体仕様型式コードおよびオプション仕様型式コードを用いて、当該本体仕様型式コードおよび当該オプション仕様型式コードに対応する本体仕様情報およびオプション仕様情報を組み合わせて仕様情報記憶部９から抽出する。
【００７４】
具体的には、抽出部１０は、製造ＩＤ（ＺＸ１〜ＺＸ４のいずれか１つ）が受信部６に受信されると、図３の型式コード記憶部１３に記憶された本体仕様型式コードａ１，ａ２，ａ３，・・・のうち当該受信部６に受信された製造ＩＤ（例えばＺＸ１）に対応する本体仕様型式コード（例えばａ１）をマップ３０から選択する（具体的には、マップ３０の第１部分３０ａにおいて製造ＩＤ（例えばＺＸ１）に対応するオーダー番号（例えばＹ１）を選択し、さらに、マップ３０の第２部分３０ｂにおいて、そのオーダー番号（Ｙ１）を用いて当該オーダー番号に対応する本体仕様型式コード（例えばａ１）を探し出す）。抽出部１０は、選択された本体仕様型式コード（例えばａ１）に対応する本体仕様情報２５を仕様情報記憶部９に記憶された複数の本体仕様情報２５の中から抽出する。それとともに、抽出部１０は、製造ＩＤが受信部６に受信されると、型式コード記憶部１３に記憶されたオプション仕様型式コードｂ１，ｂ２，ｂ３，・・・のうち当該受信部６に受信された製造ＩＤ（例えばＺＸ１）に対応するオプション仕様型式コード（例えばｂ１）を上記本体仕様型式コードの場合と同様の手順でマップ３０から選択し、そのオプション仕様型式コード（例えばｂ１）に対応するオプション仕様情報２６を仕様情報記憶部９に記憶された複数のオプション仕様情報２６の中から抽出する。その結果、抽出部１０は、製造ＩＤに対応する本体仕様型式コードおよびオプション仕様型式コードを用いて、当該本体仕様型式コードおよび当該オプション仕様型式コードに対応する本体仕様情報およびオプション仕様情報を組み合わせて仕様情報記憶部９から抽出する。
【００７５】
さらに、抽出部１０は、製造ＩＤが受信部６に受信されると、型式コード記憶部１３に記憶された付加仕様型式コードｃ１，ｃ２，ｃ３，・・・のうち当該受信部６に受信された製造ＩＤ（例えばＺＸ１）に対応する付加仕様型式コード（例えばｃ１）を上記本体仕様型式コードの場合と同様の手順でマップ３０から選択し、その付加仕様型式コード（例えばｃ１）に対応する付加仕様情報２７を、本体仕様情報およびオプション仕様情報と組み合わせて仕様情報記憶部９から抽出する。
【００７６】
また、抽出部１０は、クライアント用ＰＣ３またはサービスマン用ＰＣ４に入力された製造ＩＤがインターネットＮを介して受信部６に受信されると、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、図２の仕様情報記憶部９に記憶された複数のソフトウェア情報２２（ｄ１，ｄ２，ｄ３，ｄ４，・・・）の中から製造ＩＤ（例えばＺＸ１）の試験装置Ｘ１の本体において動作可能なソフトウェア情報２２（例えば、ｄ１，ｄ２）を抽出する。同様に、抽出部１０は、図２の仕様情報記憶部９に記憶された複数のソフトウェア情報２２（ｄ１，ｄ２，ｄ３，ｄ４，・・・）の中から製造ＩＤ（例えばＺＸ１）の試験装置Ｘ１のオプションにおいて動作可能なソフトウェア情報２２をオプション仕様型式コードを用いて抽出したり、または試験装置Ｘ１の付加仕様において動作可能なソフトウェア情報２２を付加仕様型式コードを用いて抽出することが可能である。
【００７７】
さらに、抽出部１０は、受信部６が製造ＩＤを受信すると、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、図２の仕様情報記憶部９に記憶された複数のプログラムパターン情報２３（ｅ１，ｅ２，ｅ３，ｅ４，・・・）の中から製造ＩＤ（例えばＺＸ１）の試験装置Ｘ１の本体において動作可能なプログラムパターン情報２３（例えばｅ１，ｅ２）を抽出する。同様に、抽出部１０は、図２の仕様情報記憶部９に記憶された複数のプログラムパターン情報２３（ｅ１，ｅ２，ｅ３，ｅ４，・・・）の中から製造ＩＤ（例えばＺＸ１）の試験装置Ｘ１のオプションにおいて動作可能なプログラムパターン情報２３をオプション仕様型式コード用いて抽出したり、または試験装置Ｘ１の付加仕様において動作可能なプログラムパターン情報２３を付加仕様型式コード用いて抽出することが可能である。
【００７８】
また、受信部６は、プログラムパターン情報２３の特徴を分類するためのキーワードをさらに受信することが可能である。キーワードは、クライアント用ＰＣ３またはサービスマン用ＰＣ４から入力される。
【００７９】
抽出部１０は、製造ＩＤおよびキーワードが受信部６に受信されると、当該製造ＩＤおよび当該キーワードに対応するプログラムパターン情報ｅ１，ｅ２，ｅ３，ｅ４，・・・を抽出することが可能である。
【００８０】
さらに、抽出部１０は、製造ＩＤが受信部６に受信されると、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、仕様情報記憶部９に記憶された複数の消耗品情報２４（ｆ１，ｆ２，ｆ３，ｆ４，・・・）の中から製造ＩＤ（例えばＺＸ１）の試験装置Ｘ１の本体に対応する消耗品情報２４（例えばｆ１，ｆ２）を抽出する。同様に、抽出部１０は、図２の仕様情報記憶部９に記憶された複数の消耗品情報２４（ｆ１，ｆ２，ｆ３，ｆ４・・・）の中から製造ＩＤ（例えばＺＸ１）の試験装置Ｘ１のオプションに対応する消耗品情報２４をオプション仕様型式コード用いて抽出したり、または試験装置Ｘ１の付加仕様に対応する消耗品情報２４を付加仕様型式コード用いて抽出することが可能である。
【００８１】
選択部１１は、プログラムパターン選択部１１ａと消耗品選択部１１ｂとを備える。
【００８２】
消耗品選択部１１ｂは、抽出部１０によって抽出された消耗品情報２４（例えばｆ１，ｆ２）の中から試験装置（例えばＸ１）に使用される消耗品情報２４を選択する。これにより、クライアント用ＰＣ３またはサービスマン用ＰＣ４を操作して、管理コンピュータ２の消耗品選択部１１ｂへ指令を与えることによって、抽出部１０によって抽出された複数の消耗品情報２４（例えばｆ１，ｆ２）から所望の消耗品情報２４を選択することが可能である。
【００８３】
プログラムパターン選択部１１ａは、抽出部１０によって抽出された複数のプログラムパターン情報２３（例えばｅ１，ｅ２）の中から試験装置（例えばＸ１）に用いられるプログラムパターン情報２３を選択する。これにより、クライアント用ＰＣ３またはサービスマン用ＰＣ４を操作して、管理コンピュータ２のプログラムパターン選択部１１ａへ指令を与えることによって、抽出部１０によって抽出された複数のプログラムパターン情報２３（例えばｅ１，ｅ２）から所望のプログラムパターン情報２３を選択することが可能である。
【００８４】
ここで、プログラムパターン選択部１１ａによってプログラムパターンを選択する操作を支援するために、例えば、クライアント用ＰＣ３およびサービスマン用ＰＣ４の表示部３ａ、４ａには、図４に示されるように、プログラムパターン検索画面３１が表示される。このプログラムパターン検索画面３１は、例えば、製造番号（製造ＩＤ）を入力する窓と、オプション仕様の詳細項目を有効または無効のいずれかを選択する選択部（ラジオボタン）と、温度範囲および湿度範囲を設定する窓とを有する。このようなプログラムパターン検索画面３１を用いて、製造番号および各種の条件を入力することにより、上記ＰＣ３、４の表示部３ａ、４ａには、図５に示されるように、条件に適合する全てのプログラムパターンを含む一覧表３２が表示される。クライアント等は、この一覧表３２を参照することにより、所望のプログラムパターン情報２３を容易に選択することが可能である。なお、プログラムパターン検索画面３１において、製造番号（製造ＩＤ）のみを入力してもプログラムパターン情報２３を呼び出すことが可能である。
【００８５】
さらに、上記ＰＣ３、４の各表示部３ａ、４ａは、図６〜７に示される表示画面３３、３４のように、プログラムパターン情報２３を環境条件の時系列変化を示すグラフによって表示することが可能であり、グラフ表示部として機能する。これにより、上記のプログラムパターン選択部１１ａを用いて複数のプログラムパターン情報２３（例えばｅ１，ｅ２）から所望のプログラムパターン情報２３を選択する際に、グラフを参照しながら容易にプログラムパターンを選択することが可能である。ここで、図６の表示画面３３には、試験空間の温度の時間的変化を示すグラフが示され、横軸は時間軸で表示されている。また、図７の表示画面３４には、試験空間の温度および湿度の時間的変化を示すグラフが示され、横軸はステップ（各ステップの所要時間は考慮しない）で表示されている。
【００８６】
送信部１２は、管理コンピュータ２内部の種々の情報を所定の送信先へ送信するものであり、ソフトウェア送信部１２ａと、プログラムパターン送信部１２ｂと、注文情報送信部１２ｃとを備えている。
【００８７】
ソフトウェア送信部１２ａは、抽出部１０によって抽出されたソフトウェア情報２２に対応するソフトウェアを、製造ＩＤが入力されたクライアント用ＰＣ３またはサービスマン用ＰＣ４へ送信する。クライアント用ＰＣ３等に受信されたソフトウェアは、ＵＳＢメモリなどの外部記憶媒体を介してその製造ＩＤが付与された試験装置Ｘ１〜Ｘ４へダウンロードすることが可能である。なお、ソフトウェア送信部１２ａは、ソフトウェアをその製造ＩＤが付与された試験装置Ｘ１〜Ｘ４へ直接送信することも可能である。
【００８８】
プログラムパターン送信部１２ｂは、上記のソフトウェア送信部１２ａと同様に、抽出部１０によって抽出されたプログラムパターン情報２３に対応するプログラムパターンを、製造ＩＤが入力されたクライアント用ＰＣ３またはサービスマン用ＰＣ４へ送信する。クライアント用ＰＣ３等に受信されたプログラムパターンは、ＵＳＢメモリなどの外部記憶媒体を介してその製造ＩＤが付与された試験装置Ｘ１〜Ｘ４へダウンロードすることが可能である。なお、プログラムパターン送信部１２ａは、プログラムパターンをその製造ＩＤが付与された試験装置Ｘ１〜Ｘ４へ直接送信することも可能である。
【００８９】
注文情報送信部１２ｃは、消耗品選択部１１ｂによって複数の消耗品情報２４（例えばｆ１，ｆ２）の中から選択された消耗品情報２４（例えばｆ１）に対応する消耗品の注文に関する注文情報を、所定の受信先である消耗品の受注を請け負う業者が所有する消耗品受注用サーバ５へ送信する。これにより、クライアント用ＰＣ３またはサービスマン用ＰＣ４を操作して、消耗品選択部１１ｂへ指令を与えることによって、抽出部１０によって抽出された複数の消耗品情報２４（例えばｆ１，ｆ２）から所望の消耗品情報２４を選択したときに、その選択された消耗品の注文を自動的に行うことが可能である。
【００９０】
見積・受注部１７は、試験装置Ｘ１〜Ｘ４の購入を検討しているクライアントのために、当該試験装置の見積情報を作成するとともにクライアントから試験装置の発注があったときに発注情報を作成する。作成された見積情報や発注情報は、管理コンピュータ２からクライアント用ＰＣ３へ送信される。なお、見積・受注部１７は、見積機能はなくてもよい。
【００９１】
見積・受注部１７は、少なくとも１台の試験装置の発注があったときには、発注のあった各試験装置について固有の製造ＩＤを付与するとともに、当該発注のときにオーダー番号を付与する。
【００９２】
仕様条件抽出部１８は、見積・受注部１７がクライアントから購入を希望する試験装置の仕様についての条件を受信したときに、仕様情報記憶部９に記憶された複数の仕様情報２１のうち複数の本体仕様情報２５およびオプション仕様情報２６から、クライアントの希望に適合した仕様の本体仕様情報２５およびオプション仕様情報２６を抽出して、見積・受注部１７へ送る。見積・受注部１７は、これらの抽出された本体仕様情報２５およびオプション仕様情報２６とともに、クライアントの要望に個別に対応すべく追加した付加仕様情報２７などに基づいて見積情報を作成することが可能である。なお、付加仕様型式情報２７も、繰り返し使用（リピート）や流用などをすることが可能であってよい。
【００９３】
図３の型式コード記憶部１３のマップ３０は、試験装置の受注があったときに逐次更新される。具体的には、受注した試験装置に関する製造ＩＤおよび当該装置の本体仕様、オプション仕様および付加仕様の各型式コードが見積・受注部１７で確定したときには、書換部７は、受注された試験装置に関する製造ＩＤおよびそれに対応する各型式コードをマップ３０に追加する。
【００９４】
さらに、試験装置の付加仕様情報を新たに作成したときには、書換部７は、当該付加仕様情報を仕様情報記憶部９に追加するとともに、その付加仕様情報の型式コードを製造ＩＤに対応付けてマップ３０に追加する。なお、試験装置の本体仕様情報やオプション仕様情報が新規作成された場合も随時追加される。
【００９５】
また、書換部７は、仕様情報記憶部９に記憶されている情報、すなわち、仕様情報２１（すなわち、本体仕様情報２５、オプション仕様情報２６、および付加仕様情報２７）、ソフトウェア情報２２、プログラムパターン情報２３、および消耗品情報２４に対して、新規の情報の追加やバージョンアップがある場合には随時更新する。また、書換部７は、これらの情報のうち旧バージョンの情報については、必要に応じて削除または変更する。
【００９６】
（仕様情報等の入手方法）
上記のように構成された情報管理システム１では、試験装置Ｘ１〜Ｘ４の製造ＩＤを用いることによって、クライアントは、購入した試験装置Ｘ１〜Ｘ４の仕様に関する情報等を容易に入手することが可能である。
【００９７】
具体的には、クライアントは、まず、購入した試験装置（例えばＸ１）の製造ＩＤ（例えばＺＸ１）をクライアント用ＰＣ３の入力部３ｂへ入力する。ここで、製造ＩＤの入力を支援するために、例えば、図８に示されるように、クライアント用ＰＣ３の表示部３ａには、クライアントが過去に購入した製品の製造番号（製造ＩＤ）の一覧を表示した画面３５が表示され、アイコン３５ａをマウスまたは指などで指定することによって画面３５の中から１つの製造番号を選択するようにするのが好ましい。これにより、製造ＩＤを容易に入力することが可能である。クライアント用ＰＣに入力された製造ＩＤは、管理コンピュータ２へインターネットＮを介して送信される。
【００９８】
管理コンピュータ２では、製造ＩＤ（ＺＸ１）を受信部６で受信すると、抽出部１０は、型式コード記憶部１３のマップ３０を用いて製造ＩＤ（ＺＸ１）に対応する試験装置Ｘ１の本体仕様型式コードａ１、オプション仕様型式コードｂ１、付加仕様型式コードｃ１を用いて、仕様情報記憶部９から各型式コードに対応する本体仕様情報２５、オプション仕様情報２６および付加仕様情報２７を組み合わせて抽出する。抽出された各仕様情報は、送信部１２を介してクライアント用ＰＣ３へ送信され、表示部３ａに表示される。
【００９９】
それとともに、管理コンピュータ２では、製品履歴データベース８に記憶されている製造ＩＤ（ＺＸ１）に対応するメンテナンス履歴情報やバージョンアップ情報も、クライアント用ＰＣ３へ送信する。
【０１００】
これにより、クライアントは、購入した試験装置に関する仕様情報等を組み合わせて一群の情報として管理コンピュータ２の仕様情報記憶部９から抽出して容易に入手することが可能である。
【０１０１】
入手された仕様情報等は、例えば、図９に示されるように、クライアント用ＰＣ３の表示部３ａに表示画面３６（専用ホームページ）のように表示される。この表示画面３６には、試験装置の製造番号（製造ＩＤ）と、試験装置の名称、当該装置の型式（本体仕様型式コード）、装置本体の基本仕様（本体仕様情報の基本部分）などが表示される。さらに、この表示画面３６には、各種ドキュメント(仕様書、取扱説明書、外観図)、各種履歴（メンテナンス、バージョンアップ情報）に関する情報がリンクしており、それぞれのリンク先へ移動するためのアイコン３６ｂ〜３６ｆが表示画面３６に設けられている。いずれかのアイコン３６ｂ〜３６ｆを指定することによって、製造ＩＤに関連付けられた各種ドキュメントおよび各種履歴に関する情報に容易にアクセスすることが可能である。例えば、各種履歴のメンテナンスに対応するアイコン３６ｅを指定することにより、図１４に示されるメンテナンス履歴画面３８が表示される。メンテナンス履歴画面３８は、製造ＩＤが付与された試験装置のメンテナンス作業の基本情報を示す一覧３８ａと、各メンテナンス作業の詳細な情報を呼び出すためのアイコン３８ｂとを有する。一覧３８ａには、メンテナンス作業を行った年月日、作業内容の種類、および作業内容の概要などが表示される。あるメンテナンス作業について詳細な情報を知りたいときには、そのメンテナンス作業の項目に対応するアイコン３８ｂを指定することにより、図１５に示される詳細画面３９ａが呼び出される。詳細画面３９ａは、メンテナンス作業を行った年月日および作業内容の種類の他に、メンテナンス作業によって交換等された部品、および部品の数量などの項目を有する。
【０１０２】
また、上記図９の表示画面３６には、プログラムパターンの参照やダウンロードを実行するための画面へ移動するためのアイコン３６ｇ、および消耗品・後付オプションの参照や発注を実行するための画面へ移動するためのアイコン３６ｈが設けられている。
【０１０３】
また、同じ仕様を有する複数の試験装置Ｘ１、Ｘ２が一括して受注され、共通のオーダー番号Ｙ１が付与されているので、オーダー番号Ｙ１をクライアント用ＰＣ３に入力することにより、これら試験装置Ｘ１、Ｘ２の仕様情報を容易に入手することが可能である。
【０１０４】
なお、上記のような仕様情報の取得は、サービスマンがサービスマン用ＰＣ４を用いても実行することが可能である。
【０１０５】
（ソフトウェアの取得）
さらに、上記のように構成された情報管理システム１を用いることによって、クライアントは、購入した試験装置Ｘ１〜Ｘ４による環境試験の動作を制御するためのソフトウェアを容易に入手することが可能である。
【０１０６】
すなわち、クライアントが、上記と同様に、クライアント用ＰＣ３に製造ＩＤを入力することにより、管理コンピュータ２では、製造ＩＤを受信部６で受信すると、抽出部１０は、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、図２の仕様情報記憶部９に記憶された複数のソフトウェア情報２２（ｄ１，ｄ２，ｄ３，ｄ４，・・・）の中から製造ＩＤ（例えばＺＸ１）の試験装置Ｘ１の本体において動作可能なソフトウェア情報２２（例えば、ｄ１，ｄ２）を抽出する。抽出されたソフトウェア情報２２に対応するソフトウェアは、送信部１２のソフトウェア送信部１２ａによってクライアント用ＰＣ３へ送信される。これにより、クライアントは、購入した試験装置で動作可能なソフトウェアのみを管理コンピュータ２の仕様情報記憶部９から容易に入手することが可能である。入手したソフトウェアは、ＵＳＢメモリなどの外部記憶媒体を介してその製造ＩＤが付与された試験装置Ｘ１〜Ｘ４へダウンロードすることが可能である。なお、ソフトウェアは、ソフトウェア送信部１２ａによって、その製造ＩＤが付与された試験装置Ｘ１〜Ｘ４へ直接送信してもよい。
【０１０７】
また、上記のようなソフトウェアの取得についても、サービスマンがサービスマン用ＰＣ４を用いても実行することが可能である。
【０１０８】
ここで、ソフトウェアのアップデートがある場合には、その旨をクライアント用ＰＣ３およびサービスマン用ＰＣ４の表示部３ａ、４ａに表示して、クライアント等に新しいソフトウェアへの更新を促すようにするのが好ましい。これにより、試験装置におけるソフトウェアの更新を早期に行うことが可能になる。
【０１０９】
（プログラムパターンの取得）
さらに、上記のように構成された情報管理システム１を用いることによって、クライアントは、購入した試験装置Ｘ１〜Ｘ４による環境試験の動作を行うときの環境条件の時系列変化を設定するプログラムパターンのうち、当該試験装置が動作可能なプログラムパターンを確実に選択して取得することが可能である。
【０１１０】
すなわち、クライアントが、上記と同様に、クライアント用ＰＣ３に製造ＩＤを入力することにより、管理コンピュータ２では、製造ＩＤを受信部６で受信すると、抽出部１０は、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、図２の仕様情報記憶部９に記憶された複数のプログラムパターン情報２３（ｅ１，ｅ２，ｅ３，ｅ４，・・・）の中から製造ＩＤ（例えばＺＸ１）の試験装置Ｘ１の本体において動作可能なプログラムパターン情報２３（例えばｅ１，ｅ２）を抽出する。ついで、クライアント用ＰＣ３を操作して、管理コンピュータ２のプログラムパターン選択部１１ａへ指令を与えることによって、抽出部１０によって抽出された複数のプログラムパターン情報２３（例えばｅ１，ｅ２）から所望のプログラムパターン情報２３を選択する。
【０１１１】
プログラムパターン情報２３の選択操作は、具体的に以下のような手順で行われる。まず、クライアント用ＰＣ３において、上記の図９に示される製造番号（製造ＩＤ）ごとの専用の表示画面３６を表示し、その表示画面３６におけるプログラムパターンの参照やダウンロード用のアイコン３６ｇを指定し、図４に示されるプログラムパターン検索画面３１へ移動する。そして、このプログラムパターン検索画面３１を用いて製造番号および各種の条件を入力することにより、図５に示されるように、条件に適合する全てプログラムパターンを含む一覧表３２（図５参照）を表示部３ａに表示させる。さらに、一覧表３２に表示された各プログラムパターンにおける環境条件の時系列変化をグラフで示した図６〜７の表示画面３３、３４を参照しながら、所望のプログラムパターンを選択することが可能である。なお、プログラムパターン検索画面３１において、製造番号（製造ＩＤ）のみを入力してもプログラムパターン情報２３を呼び出すことが可能である。
【０１１２】
入手したプログラムパターンは、ＵＳＢメモリなどの外部記憶媒体を介してその製造ＩＤが付与された試験装置Ｘ１〜Ｘ４へダウンロードすることが可能である。なお、プログラムパターンは、プログラムパターン送信部１２ｂによって、その製造ＩＤが付与された試験装置Ｘ１〜Ｘ４へ直接送信してもよい。
【０１１３】
なお、上記のようなプログラムパターンの取得についても、サービスマンがサービスマン用ＰＣ４を用いても実行することが可能である。
【０１１４】
（消耗品の購入）
さらに、上記のように構成された情報管理システム１を用いることによって、クライアントは、購入した試験装置Ｘ１〜Ｘ４に対応する消耗品を確実に選択して発注することが可能である。
【０１１５】
すなわち、クライアントが、上記と同様に、クライアント用ＰＣ３に製造ＩＤを入力することにより、管理コンピュータ２では、製造ＩＤを受信部６で受信すると、抽出部１０は、型式コード記憶部１３に記憶された本体仕様型式コードａ１，ａ２，ａ３，・・・のうち製造ＩＤ（例えばＺＸ１）に対応する本体仕様型式コード（例えばａ１）を用いて、仕様情報記憶部９に記憶された複数の消耗品情報２４（ｆ１，ｆ２，ｆ３，ｆ４，・・・）の中から製造ＩＤ（例えばＺＸ１）の試験装置Ｘ１の本体に対応する消耗品情報２４（ｆ１，ｆ２）を抽出する。ついで、クライアント用ＰＣ３を操作して、消耗品選択部１１ｂへ指令を与えることによって、抽出部１０によって抽出された複数の消耗品情報２４（例えばｆ１，ｆ２）から所望の消耗品情報２４を選択する。そして、注文情報送信部１２ｃは、消耗品選択部１１ｂによって複数の消耗品情報２４（例えばｆ１，ｆ２）の中から選択された消耗品情報２４（例えばｆ１）に対応する消耗品の注文に関する注文情報を、所定の受信先である消耗品の受注を請け負う業者が所有する消耗品受注用サーバ５へ送信する。これにより、消耗品の注文を自動的に行うことが可能である。
【０１１６】
具体的には、以下のような手順で消耗品の購入が行われる。例えば、試験装置Ｘ１の消耗品を購入する場合には、まず、クライアント用ＰＣ３において、上記の図９に示される製造番号（製造ＩＤ）ごとの専用の表示画面３６を表示し、その表示画面３６における消耗品・後付オプションの参照や発注用のアイコン３６ｈを指定し、図１０に示される消耗品の購入画面３７へ移動する。この図１０に示される購入画面３７は、試験装置Ｘ１に対応する消耗品の一覧を示すマップ３７ａと、マップ３７ａ内の各消耗品の項目ごとの詳細情報を呼び出すための詳細アイコン３７ｂと、マップ３７ａ内の各消耗品の項目ごとの発注をするための発注アイコン３７ｃとを備えている。なお、図１０に示されるマップ３７ａは、試験装置Ｘ１に対応する消耗品のみを一覧に示しているが、本発明はこれに限定するものではなく、図１１に示されるマップ３７ａのように、すべての消耗品を示す一覧であって、試験装置Ｘ１の本体の型式に対応しない消耗品についての欄３７ｄを暗色にして表示してもよい。
【０１１７】
図１０に示されるマップ３７ａに示される複数の消耗品のうち詳細な情報を知りたい消耗品がある場合には、その消耗品の項目に対応する詳細アイコン３７ｂを指定することにより、マップ３７ａ内の各消耗品の項目ごとに詳細な情報を表示する詳細画面３７ｅ（図１２参照）を呼び出すことが可能である。詳細画面３７ｅには、消耗品の名称、材質、型式、寸法、使用例、使用時の注意、外観図などが含まれている。
【０１１８】
図１０に示されるマップ３７ａに示される複数の消耗品のうち購入を希望する消耗品がある場合には、その消耗品の項目に対応する発注アイコン３７ｃを指定することにより、図１３に示される発注確認用画面３７ｆを呼び出すことが可能である。発注確認用画面３７ｆは、消耗品の発注をするか否かの最終確認をするための確認用アイコン３７ｇを備えている。確認用アイコン３７ｇのうち「はい」のアイコンを選択することにより、消耗品の注文に関する注文情報は、注文情報送信部１２ｃによって、消耗品受注用サーバ５へ送信され、消耗品の注文が完了する。
【０１１９】
また、上記の図１０の表示画面に、消耗品の他に後付の追加部品を表示することにより、追加部品の購入も可能になる。
【０１２０】
さらに、試験装置Ｘ１、Ｘ２の消耗品を一括購入する場合には、これら試験装置Ｘ１、Ｘ２に共通のオーダー番号Ｙ１を用いて当該消耗品の一括購入を行うことも可能である。
【０１２１】
消耗品等の送付先は、初回発注時には、発注確認用画面３７ｆその他の画面において送付先に関する情報を入力する窓を設けておき、当該送付先に関する情報を要求するようにすればよい。また、次回発注時から送付先に関する情報を要求せずに、送付先の変更の有無のみを確認するようにすればよい。
【０１２２】
（特徴）
（１）
本実施形態の管理コンピュータ２では、試験装置Ｘ１〜Ｘ４の本体仕様に関する全ての型式についてそれぞれ網羅された複数の本体仕様情報２５を含む複数の仕様情報２１は、仕様情報記憶部９に記憶されて、一括管理されている。抽出部１０は、試験装置Ｘ１〜Ｘ４の製造ＩＤが受信部６に受信されると、製造ＩＤに対応付けて型式コード記憶部１３に記憶された本体仕様の型式に関する本体仕様型式コードを用いて、仕様情報記憶部９に記憶された複数の仕様情報２１の中から試験装置Ｘ１〜Ｘ４に対応する本体仕様情報２５を抽出する。これにより、試験装置Ｘ１〜Ｘ４それぞれに１件ごとに本体仕様情報２５を個別に管理する必要がなくなり、仕様情報記憶部９に記憶されるデータ量の低減が可能になる。
【０１２３】
（２）
本実施形態の管理コンピュータ２では、試験装置Ｘ１〜Ｘ４の本体に付属するオプションが有る場合であっても、当該オプションの仕様に関するオプション仕様情報２６を、仕様情報記憶部９で一括して管理しておき、試験装置Ｘ１〜Ｘ４の製造ＩＤを用いてオプション仕様情報２６を抽出することが可能である。そのため、試験装置Ｘ１〜Ｘ４それぞれに１件ごとにオプション仕様情報２６を本体仕様情報２５と組み合わせて個別に管理する必要がなくなり、仕様情報記憶部９がオプション仕様情報２６を記憶する場合であっても、仕様情報記憶部９に記憶されるデータ量の低減が可能になる。
【０１２４】
（３）
本実施形態の管理コンピュータ２では、試験装置Ｘ１〜Ｘ４の本体仕様に付加される付加仕様（例えば、試験装置Ｘ１〜Ｘ４の製造工場の工場出荷前に顧客からの注文に応じて付加される仕様）が有る場合であっても、当該付加仕様に関する付加仕様情報２７を、仕様情報記憶部９で一括して管理しておき、試験装置Ｘ１〜Ｘ４の製造ＩＤを用いて付加仕様情報２７を抽出することが可能である。そのため、試験装置Ｘ１〜Ｘ４それぞれに１件ごとに付加仕様情報２７を本体仕様情報２５と組み合わせて個別に管理する必要がなくなり、仕様情報記憶部９が付加仕様情報２７を記憶する場合であっても、仕様情報記憶部９に記憶されるデータ量の低減が可能になる。
【０１２５】
（４）
本実施形態の管理コンピュータ２では、同一の仕様（例えば、本体仕様、オプション仕様、および付加仕様全てについて同一の仕様）を有する複数の試験装置Ｘ１〜Ｘ２，Ｘ３〜Ｘ４を一括して受注するときに付与されるオーダー番号Ｙ１、Ｙ２を介して、当該試験装置の少なくとも本体仕様情報(例えば、本体仕様情報２５、オプション仕様情報２６、および付加仕様情報２７)と複数の試験装置の製造ＩＤとを対応付けることが可能である。これにより、共通のオーダー番号Ｙ１、Ｙ２を用いて複数の試験装置の本体仕様情報２５を含む全ての仕様情報２１を一括して管理することが可能である。そのため、複数の試験装置Ｘ１〜Ｘ４の本体仕様情報２５を含む全ての仕様情報２１の管理がさらに容易になる。なお、各試験装置Ｘ１〜Ｘ４についての後々の修理履歴などの情報は、オーダー番号を用いて管理せずに各試験装置Ｘ１〜Ｘ４の個別の情報として、各製造ＩＤと対応付けて製品履歴データベース８のメンテナンス履歴記憶部１４に記憶されることによって管理される。
【０１２６】
（５）
本実施形態の管理コンピュータ２では、試験装置Ｘ１〜Ｘ４による環境試験を制御する複数のソフトウェア情報２２を本体仕様型式コードａ１，ａ２，ａ３，・・・、オプション仕様型式コードｂ１，ｂ２，ｂ３，・・・、または付加仕様型式コードｃ１，ｃ２，ｃ３，・・・と対応付けて仕様情報記憶部９に記憶して一括して管理しておき、試験装置Ｘ１〜Ｘ４の製造ＩＤが受信部６に受信されると、抽出部１０が、製造ＩＤに対応付けて型式コード記憶部１３に記憶された本体仕様型式コードａ１，ａ２，ａ３，・・・、オプション仕様型式コードｂ１，ｂ２，ｂ３，・・・、または付加仕様型式コードｃ１，ｃ２，ｃ３，・・・を用いて、抽出部１０が試験装置Ｘ１〜Ｘ４の本体、オプション、または付加仕様において動作可能なソフトウェアに対応するソフトウェア情報２２を抽出することが可能である。これにより、各試験装置に対して必要なソフトウェアのみを提供することが可能になる。
【０１２７】
（６）
本実施形態の管理コンピュータ２では、抽出部１０によって抽出されたソフトウェア情報２２に対応するソフトフェアは、ソフトウェア送信部１２ａによって試験装置Ｘ１〜Ｘ４またはクライアント用ＰＣ３などの外部端末へ送信されるので、当該ソフトウェアを試験装置Ｘ１〜Ｘ４またはクライアント用ＰＣ３などの外部端末へ自動的に送信することが可能である。
【０１２８】
（７）
本実施形態の管理コンピュータ２では、試験装置Ｘ１〜Ｘ４による環境試験の動作を行うときの環境条件の時系列変化を設定するプログラムパターン情報２３を本体仕様型式コードａ１，ａ２，ａ３，・・・、オプション仕様型式コードｂ１，ｂ２，ｂ３，・・・、または付加仕様型式コードｃ１，ｃ２，ｃ３，・・・と対応付けて仕様情報記憶部９に記憶して一括して管理しておき、製造ＩＤが受信部６に受信されると、製造ＩＤに対応付けて型式コード記憶部１３に記憶された本体仕様型式コードａ１，ａ２，ａ３，・・・、オプション仕様型式コードｂ１，ｂ２，ｂ３，・・・、または付加仕様型式コードｃ１，ｃ２，ｃ３，・・・を用いて、抽出部１０が試験装置Ｘ１〜Ｘ４の本体、オプション、または付加仕様において動作可能なプログラムパターンに対応するプログラムパターン情報２３を抽出することが可能である。これにより、各試験装置に対して動作可能なプログラムパターンのみを提供することが可能になる。
【０１２９】
（８）
本実施形態の管理コンピュータ２では、抽出部１０によって抽出されたプログラムパターン情報２３に対応するプログラムパターンは、プログラムパターン送信部１２ｂによって試験装置Ｘ１〜Ｘ４またはクライアント用ＰＣ３などの外部端末へ送信されるので、当該プログラムパターンを試験装置Ｘ１〜Ｘ４またはクライアント用ＰＣ３などの外部端末へ自動的に送信することが可能である。
【０１３０】
（９）
本実施形態の管理コンピュータ２では、製造ＩＤおよびキーワードの両方に対応するプログラムパターン情報２３を容易に抽出することが可能になる。これにより、所望のプログラムパターン情報２３をより容易かつ確実に入手することが可能になる。
【０１３１】
（１０）
本実施形態の管理コンピュータ２では、抽出部１０によって抽出されたプログラムパターン情報２３の中から、プログラムパターン選択部１１ａによって、試験装置Ｘ１〜Ｘ４に用いられるプログラムパターンを選択することにより、所望のプログラムパターンを容易に入手することが可能になる。
【０１３２】
（１１）
本実施形態の管理コンピュータ２では、プログラムパターン情報２３が、グラフ表示部として機能するクライアント用ＰＣ３の表示部３ａなどによって、環境条件の時系列変化等を示すグラフによって表示されるので、クライアントなどの作業者はプログラムパターンの詳細をグラフで確認しながら、プログラムパターン情報を選択することが可能になり、所望のプログラムパターンをより容易に入手することが可能になる。
【０１３３】
（１２）
本実施形態の管理コンピュータ２では、試験装置Ｘ１〜Ｘ４の消耗品に関する複数の消耗品情報２４を仕様情報記憶部９で一括して記憶しておき、製造ＩＤが受信部６に受信されると、製造ＩＤに対応付けて型式コード記憶部１３に記憶された本体仕様型式コードａ１，ａ２，ａ３，・・・、オプション仕様型式コードｂ１，ｂ２，ｂ３，・・・、または付加仕様型式コードｃ１，ｃ２，ｃ３，・・・を用いて、抽出部１０が製造ＩＤに対応する消耗品情報２４を抽出するので、試験装置Ｘ１〜Ｘ４１件ごとに消耗品情報２４を個別に管理する必要がなくなり、仕様情報記憶部９が消耗品情報２４を記憶する場合であっても仕様情報記憶部９に記憶されるデータ量の低減が可能になる。
【０１３４】
（１３）
本実施形態の管理コンピュータ２では、抽出部１０によって抽出された消耗品情報２４の中から、消耗品選択部１１ｂによって、試験装置Ｘ１〜Ｘ４の消耗品を選択することにより、注文情報送信部１２ｃは、所望の消耗品の注文に関する注文情報を所定の受信先である消耗品受注用サーバ５へ容易かつ確実に送信することが可能になる。したがって、消耗品の誤発注を防ぐことが可能になる。
【０１３５】
（１４）
本実施形態の情報管理システム１では、クライアント用ＰＣ３を利用するクライアントまたはサービスマン用ＰＣ４を利用するサービスマンは、各ＰＣ３、４の入力部３ｂ、４ｂを用いて製造ＩＤを任意に入力することが可能であり、コード入力部３ｂ、４ｂに入力された製造ＩＤは、管理コンピュータ２の受信部６に受信されるので、試験装置Ｘ１〜Ｘ４の仕様情報が欲しいときに当該仕様情報を容易に抽出することが可能である。しかも、抽出部１０によって抽出された仕様情報を各ＰＣ３、４の表示部３ａ、４ａｂに表示することにより、これらのＰＣ３、４を利用する者は仕様情報を視認することが可能である。
【０１３６】
（１５）
上記のように、本実施形態の情報管理システム１では、各試験装置Ｘ１〜Ｘ４に対応した製造ＩＤをクライアント用ＰＣ３へ入力することにより、クライアントは、各試験装置の専用ホームページ（図９の表示画面３６）にアクセスすることができ、各試験装置の個別の情報、例えば、仕様情報やメンテナンス履歴情報等を当該クライアント用ＰＣ３の表示部３ａで容易かつ確実に視認することが可能である。その結果、各試験装置に関する情報を探す手間を大幅に削減し、資料の取り違えなどの間違いを無くすことができ、業務の効率化を図ることが可能である。
【０１３７】
また、取扱説明書や仕様書を各試験装置ごとに合わせて管理、保管しておく必要がなくなる。
【０１３８】
さらに、消耗品や追加部品などの発注などで適応する型式を探す手間もなくなるので、クライアントの勘違いで消耗品等を誤発注するおそれも解消される。
【０１３９】
（変形例）
（Ａ）
上記実施形態では、型式コード記憶部１３は、マップ３０のように、オーダー番号Ｙ１、Ｙ２を介して、複数の試験装置Ｘ１〜Ｘ４の製造ＩＤ（ＺＸ１〜ＺＸ４）と各試験装置の仕様の型式に対応する各型式コード（本体仕様型式コード、オプション仕様型式コードおよび付加仕様型式コード）とを対応付けて記憶しているが、本発明はこれに限定されるものではなく、オーダー番号Ｙ１、Ｙ２を介さずに製造ＩＤと各形式コードとを直接対応付けて記憶してもよい。
【０１４０】
（Ｂ）
上記実施形態では、チャンバ管理装置が管理するチャンバの一例として対象品の環境試験を行う環境試験装置を例に挙げて説明したが、本発明はこれに限定されるものではなく、本発明のチャンバ管理装置では、対象品であるに対して熱処理を行うチャンバを管理することも可能である。
【０１４１】
（Ｃ）
上記実施形態では、試験装置Ｘ１〜Ｘ４は、インターネットＮを介して管理コンピュータ２に接続されているが、本発明はこれに限定されるものではなく、試験装置はインターネットを介して管理コンピュータなどのチャンバ管理装置に接続されていなくてもよい。その場合、管理コンピュータから試験装置へソフトウェアなどを直接送信することができないが、ソフトウェアをクライアント用ＰＣ等に一旦ダウンロードし、その後ＵＳＢメモリなどの記録媒体を介して試験装置へ当該ソフトウェアをダウンロードすればよい。
【０１４２】
（Ｄ）
また、上記実施形態では、試験装置の本体仕様情報などの種々の情報はクライアント用ＰＣ３の表示部３ａに表示されているが、本発明はこれに限定されるものではなく、これらの情報を試験装置が有する表示部（例えば、計装用画面）に表示するようにしてもよい。この場合、管理コンピュータが試験装置の製造ＩＤを自動的に認識するようにしてもよい。
【０１４３】
（Ｅ）
上記実施形態の管理コンピュータ２は、仕様条件抽出部１８および見積・受注部１７を備えているが、本発明はこれに限定されるものではなく、当該管理コンピュータ２などのチャンバ管理装置は、これらの仕様条件抽出部や見積・受注部を備えていなくてもよい。
【符号の説明】
【０１４４】
１  情報管理システム
２  管理コンピュータ
３  クライアント用ＰＣ（外部端末）
４  サービスマン用ＰＣ（外部端末）
５  消耗品受注用サーバ
６  受信部
８  製品履歴データベース
９  仕様情報記憶部
１０  抽出部
１１  選択部
１１ａ  プログラムパターン選択部
１１ｂ  消耗品選択部
１２  送信部
１２ａ  ソフトウェア送信部
１２ｂ  プログラムパターン送信部
１２ｃ  注文情報送信部
１３  型式コード記憶部
Ｘ１〜Ｘ４  環境試験装置（チャンバ） 
【図１】
2014235070.tif 000003
【図２】
2014235070.tif 000004
【図３】
2014235070.tif 000005
【図５】
2014235070.tif 000006
【図４】
2014235070.tif 000007
【図６】
2014235070.tif 000008
【図７】
2014235070.tif 000009
【図８】
2014235070.tif 000010
【図９】
2014235070.tif 000011
【図１０】
2014235070.tif 000012
【図１１】
2014235070.tif 000013
【図１２】
2014235070.tif 000014
【図１３】
2014235070.tif 000015
【図１４】
2014235070.tif 000016
【図１５】
2014235070.tif 000017